(57)【要約】【課題】商品の購入及び使用を簡易かつ迅速に実現させるセキュリティー性の高い管理装置、商品管理システム、商品管理方法、及び商品管理プログラムを提供すること。【解決手段】共通の商品を示す商品情報が各々に関連づけられた販売用コード及び認証用コードを用いて商品を管理する管理装置。管理装置は、販売用コードを読み取った機器を介して商品が購入されたとき、販売用コードに関連づけられた商品情報と購入者の情報とを含む購入済データを記憶する管理記憶部を有する。また、管理装置は、認証用コードを読み取った携帯端末から認証用コードに関連づけられた商品情報と携帯端末の所有者の情報とを含む認証データが送信されたとき、認証データと購入済データとを照合して認証処理を行う管理制御部を有する。【選択図】図１
2020166662.tif 000002
【特許請求の範囲】
【請求項１】
共通の商品を示す商品情報が各々に関連づけられた販売用コード及び認証用コードを用いて前記商品を管理する管理制御部と、
前記販売用コードを読み取った機器を介して前記商品が購入されたとき、前記販売用コードに関連づけられた商品情報と購入者の情報とを含む購入済データを記憶する管理記憶部と、を有し、
前記管理制御部は、
前記認証用コードを読み取った携帯端末から前記認証用コードに関連づけられた商品情報と前記携帯端末の所有者の情報とを含む認証データが送信されたとき、前記認証データと前記購入済データとを照合して認証処理を行うものである、管理装置。
【請求項２】
前記管理制御部は、前記販売用コードと前記認証用コードとを生成するものである、請求項１に記載の管理装置。
【請求項３】
前記販売用コード及び前記認証用コードは、何れも二次元コードである、請求項１又は２に記載の管理装置。
【請求項４】
前記販売用コードは、前記商品に対応する購入用のＵＲＬ情報を含んでいる、請求項１〜３の何れか一項に記載の管理装置。
【請求項５】
請求項１〜４の何れか一項に記載の管理装置と、
前記管理装置と通信可能な携帯端末と、を有し、
前記管理装置は、
前記認証データと前記購入済データとの照合が成立した場合、前記携帯端末に適正信号を送信するものであり、
前記携帯端末は、
前記管理装置から適正信号が送信された場合に使用許可画面を表示するものである、商品管理システム。
【請求項６】
前記管理装置は、
前記商品に使用の上限回数である使用限度数が設定されている場合、
前記認証データと前記購入済データとの照合が成立し、かつ前記商品の現在の使用回数が使用限度数未満であれば、前記携帯端末に適正信号を送信するものである、請求項５に記載の商品管理システム。
【請求項７】
前記商品に関する情報の設定及び登録、及び、入力及び登録の少なくとも１つを受け付ける設定端末を有し、
前記設定端末は、
受け付けた前記商品に関する情報を前記管理装置へ送信するものであり、
前記管理制御部は、
送信された前記商品に関する情報に基づいて前記販売用コードと前記認証用コードとを生成するものである、請求項５又は６に記載の商品管理システム。
【請求項８】
共通の商品を示す商品情報が各々に関連づけられた販売用コード及び認証用コードを生成し、
前記販売用コードを読み取った機器を介して前記商品が購入されたとき、前記販売用コードに関連づけられた商品情報と購入者の情報とを含む購入済データを記憶部に記憶させ、
前記認証用コードを読み取った携帯端末から前記認証用コードに関連づけられた商品情報と前記携帯端末の所有者の情報とを含む認証データが送信されたとき、前記認証データと前記購入済データとを照合して認証処理を行うものである、商品管理方法。
【請求項９】
共通の商品を示す商品情報が各々に関連づけられた販売用コード及び認証用コードを用いて前記商品を管理する管理装置に設けられたコンピュータを、
前記販売用コード及び前記認証用コードを生成するコード生成処理手段、
前記販売用コードを読み取った機器を介して前記商品が購入されたとき、前記販売用コードに関連づけられた商品情報と購入者の情報とを含む購入済データを記憶部に記憶させる記憶処理手段、
及び前記認証用コードを読み取った携帯端末から前記認証用コードに関連づけられた商品情報と前記携帯端末の所有者の情報とを含む認証データが送信されたとき、前記認証データと前記購入済データとを照合して認証処理を行う認証処理手段、として機能させるための、商品管理プログラム。
【発明の詳細な説明】
【技術分野】
【０００１】
本発明は、商品に関連づけられた２つのコードを用いて該商品を管理する管理装置、商品管理システム、商品管理方法、及び商品管理プログラムに関する。
【背景技術】
【０００２】
従来から、商品の宣伝又は販売等の場面において、ＱＲコード（登録商標：以下同様）などの二次元コードが用いられている。こうした二次元コードは、一般に、商品を販売する会社等のＷｅｂサイトのＵＲＬ（Ｕｎｉｆｏｒｍ  Ｒｅｓｏｕｒｃｅ Ｌｏｃａｔｏｒ）の情報を含んでいる。ユーザは、携帯端末等で二次元コードを読み取ることにより、会社等のＷｅｂサイトのトップページなど、複数の商品に共通のページにアクセスすることができる。
【０００３】
また、二次元コードは、イベント又は会員制施設などのチケットに付されることがある（例えば、特許文献１参照）。特許文献１に記載のチケットシステムは、紙のチケット又は携帯端末上の電子チケットの二次元コードを、イベント会場に置かれた画像リーダに読み取らせることにより、チケットの有効性を判断するようになっている。
【先行技術文献】
【特許文献】
【０００４】
【特許文献１】特開２００２−１８３７６９号公報
【発明の概要】
【発明が解決しようとする課題】
【０００５】
しかしながら、特許文献１のように、サーバから送信された二次元コードを携帯端末で管理する構成では、二次元コードを含む電子チケットのプリントアウト、又は電子チケットを表示させる作業に手間がかかり、それだけでなく紛失のリスクを伴う。さらに、特許文献１に記載されているような二次元コードは、不正に入手した第三者も利用することができてしまうため、セキュリティー性を確保することができない。
【０００６】
本発明は、上述のような課題を解決するためになされたものであり、商品の購入及び使用を簡易かつ迅速に実現させる管理装置、商品管理システム、商品管理方法、及び商品管理プログラムを提供することを目的とする。
【課題を解決するための手段】
【０００７】
本発明に係る管理装置は、共通の商品を示す商品情報が各々に関連づけられた販売用コード及び認証用コードを用いて商品を管理する管理制御部と、販売用コードを読み取った機器を介して商品が購入されたとき、販売用コードに関連づけられた商品情報と購入者の情報とを含む購入済データを記憶する管理記憶部と、を有し、管理制御部は、認証用コードを読み取った携帯端末から認証用コードに関連づけられた商品情報と携帯端末の所有者の情報とを含む認証データが送信されたとき、認証データと購入済データとを照合して認証処理を行うものである。
【０００８】
本発明に係る商品管理システムは、上記の管理装置と、管理装置と通信可能な携帯端末と、を有し、管理装置は、認証データと購入済データとの照合が成立した場合、携帯端末に適正信号を送信するものであり、携帯端末は、管理装置から適正信号が送信された場合に使用許可画面を表示するものである。
【０００９】
本発明に係る商品管理方法は、共通の商品を示す商品情報が各々に関連づけられた販売用コード及び認証用コードを生成し、販売用コードを読み取った機器を介して商品が購入されたとき、販売用コードに関連づけられた商品情報と購入者の情報とを含む購入済データを記憶部に記憶させ、認証用コードＴを読み取った携帯端末から認証用コードに関連づけられた商品情報と携帯端末の所有者の情報とを含む認証データが送信されたとき、認証データと購入済データとを照合して認証処理を行うようになっている。
【００１０】
本発明に係る商品管理プログラムは、共通の商品を示す商品情報が各々に関連づけられた販売用コード及び認証用コードを用いて商品を管理する管理装置に設けられたコンピュータを、販売用コード及び認証用コードを生成するコード生成処理手段、販売用コードを読み取った機器を介して商品が購入されたとき、販売用コードに関連づけられた商品情報と購入者の情報とを含む購入済データを記憶部に記憶させる記憶処理手段、及び認証用コードを読み取った携帯端末から認証用コードに関連づけられた商品情報と携帯端末の所有者の情報とを含む認証データが送信されたとき、認証データと購入済データとを照合して認証処理を行う認証処理手段、として機能させるためのものである。
【発明の効果】
【００１１】
本発明は、販売用コードを用いて購入された商品が使用される際、販売用コードに対応する購入済データと、認証用コードに対応する認証データとを照合して認証処理を行う。よって、本発明によれば、電子チケットのプリントアウト及び表示が不要となり、商品の購入及び使用を簡易かつ迅速に実現することができる。また、第三者による不正使用を抑制することができることになるため、セキュリティー性の高い状態で、商品の購入及び使用ができる。
【図面の簡単な説明】
【００１２】
【図１】本発明の実施の形態に係る商品管理システムを例示した構成図である。
【図２】図１の管理装置の機能的な構成を例示したブロック図である。
【図３】図１の設定端末の機能的な構成を例示したブロック図である。
【図４】図１の携帯端末の機能的な構成を例示したブロック図である。
【図５】図３の設定端末の設定表示部に表示される商品登録欄を例示した説明図である。
【図６】図３の設定端末の設定表示部に表示されるコード表示欄を例示した説明図である。
【図７】図４の携帯端末により販売用コードを読み取って商品を購入する流れを例示した説明図である。
【図８】図４の携帯端末で商品の購入が完了した状態を例示する説明図である。
【図９】図４の携帯端末で商品が購入できなかった状態を例示する説明図である。
【図１０】図４の携帯端末に商品の購入履歴が表示された例を示す説明図である。
【図１１】図４の携帯端末に、購入支援サービスを利用して購入された複数の商品の購入履歴が表示された例を示す説明図である。
【図１２】図４の携帯端末に、領収証の出力選択欄が表示された例を示す説明図である。
【図１３】図５の表示内容欄に記載がある商品の購入時において、図４の携帯端末に注意喚起欄が表示された例を示す説明図である。
【図１４】図１の設定端末を操作して商品に対応する二次元コードを取得する流れを示すシーケンスチャートである。
【図１５】図１の携帯端末を利用してユーザが商品を購入する流れを示すシーケンスチャートである。
【図１６】図１の携帯端末を利用してユーザが商品を使用する流れを示すシーケンスチャートである。
【図１７】図１６のステップＳ３０３及びＳ３０４の処理の具体例を示すフローチャートである。
【図１８】認証データと購入済データとの照合が成立したときに図４の携帯端末に表示される使用許可画面を例示した説明図である。
【図１９】認証データと購入済データとの照合が成立したときに図４の携帯端末に表示されるエラー画面を例示した説明図である。
【図２０】図１７の変形例を示すフローチャートである。
【発明を実施するための形態】
【００１３】
実施の形態．
図１は、本発明の実施の形態に係る商品管理システムを例示した構成図である。図１に示すように、商品管理システム１００は、管理装置１０と、設定端末２０と、利用者端末３０と、携帯端末４０と、を有している。管理装置１０と、設定端末２０と、利用者端末３０と、携帯端末４０とは、インターネットなどのネットワークＷを介して通信可能に接続される。また、商品管理システム１００は、決済サーバ２００とネットワークＷを介して通信可能に構成されている。
【００１４】
管理装置１０は、商品の販売及び使用を管理する例えば管理事業者によって運用される。管理装置１０は、例えば、クラウドコンピューティングに基づくクラウドサーバである。管理装置１０には、設定端末２０、利用者端末３０、携帯端末４０、及び決済サーバ２００と連携して商品を管理するための商品管理プログラムが格納されている。もっとも、管理装置１０は、クラウドサーバに限らず、Ｗｅｂサーバ等の物理サーバであってもよい。
【００１５】
ここで、本実施の形態１において、商品とは、例えばコンサートやスポーツなどのイベントもしくはクラブやバーなどの会員制施設の入場チケット、又は購入品の引換券などが想定される。なお、会員制施設としては、クラブやバーの他に、例えばエステサロンや美容院、遊技場、パーソナルジムなど、様々な施設が想定される。また、商品には、予め販売数量が決められたものと、無制限に販売可能なものとがある。ただし、商品をここに例示するものに限定するものではない。
【００１６】
管理事業者は、会員制施設などの加盟店に、商品の管理を支援する管理支援サービスを提供する。すなわち、管理事業者は、管理装置１０を利用して、管理支援サービスを提供するためのアプリケーションである管理支援プログラムを加盟店に提供する。
【００１７】
また、管理事業者は、一般ユーザに、加盟店の商品の購入を支援する購入支援サービスを提供する。すなわち、管理事業者は、管理装置１０を利用して、購入支援サービスを提供するためのアプリケーションである商品購入プログラムを一般ユーザに提供する。一般ユーザは、商品購入プログラムを設定端末２０にインストールすることにより、加盟店の商品を簡易かつ迅速に購入して使用することができる。
【００１８】
設定端末２０は、例えば、管理事業者から商品管理サービスの提供を受ける加盟店のＰＣ（Ｐｅｒｓｏｎａｌ  Ｃｏｍｐｕｔｅｒ）である。ＰＣには、デスクトップＰＣ、ノートＰＣ、タブレットＰＣ、ＰＤＡ（Ｐｅｒｓｏｎａｌ  Ｄｉｇｉｔａｌ  Ａｓｓｉｓｔａｎｔ）などが含まれる。もっとも、設定端末２０は、スマートフォンなどであってもよい。設定端末２０には、管理装置１０と連携して販売用コードＳ及び認証用コードＴの生成処理を行うための管理支援プログラムが予めインストールされている。
【００１９】
利用者端末３０は、例えば、一般ユーザが所有しているＰＣなどである。携帯端末４０は、例えば、一般ユーザにより携行される、携帯電話、スマートフォン、タブレットＰＣ、又はＰＤＡ（Ｐｅｒｓｏｎａｌ  Ｄｉｇｉｔａｌ  Ａｓｓｉｓｔａｎｔ）などである。本実施の形態の携帯端末４０には、商品購入プログラムが予めインストールされている。
【００２０】
また、ネットワークＷには、決済サーバ２００が接続されている。決済サーバ２００は、少なくとも管理装置１０及び携帯端末４０と通信可能に接続される。決済サーバ２００は、クレジットカード会社が運用するサーバであり、管理事業者と提携するクレジット会社が複数ある場合は、決済サーバ２００も複数存在する。
【００２１】
図２は、図１の管理装置の機能的な構成を例示したブロック図である。管理装置１０は、加盟店の商品の販売及び使用を管理するものであり、管理通信部１１と、管理記憶部１２と、管理制御部１３と、を有している。管理通信部１１は、管理装置１０が、設定端末２０、利用者端末３０、携帯端末４０、及び決済サーバ２００などの外部機器との間で通信を行うためのインタフェースである。
【００２２】
管理制御部１３は、共通の商品を示す商品情報が各々に関連づけられた販売用コードＳ及び認証用コードＴを用いて該商品を管理する。本実施の形態において、管理制御部１３は、共通の商品に対応づけられた２つの二次元コードである販売用コードＳ及び認証用コードＴを生成する。
【００２３】
また、管理制御部１３は、販売用コードＳを読み取った機器を介して商品が購入されたとき、販売用コードＳに関連づけられた商品情報と購入者の情報とを含む購入済データを管理記憶部１２に記憶させる。購入済データは、商品の精算が完了したことを示す情報を含んでいる。さらに、管理制御部１３は、認証用コードＴを読み取った携帯端末４０から認証用コードＴに関連づけられた商品情報と携帯端末４０の所有者の情報とを含む認証データが送信されたとき、認証データと購入済データとを照合するものである。
【００２４】
以降では、販売用コードＳに関連づけられた商品情報のことを「販売用商品情報」ともいい、認証用コードＴに関連づけられた商品情報のことを「認証用商品情報」ともいう。販売用商品情報には、商品の金額を示す情報が含まれる。これらの情報の詳細については後述する。
【００２５】
より具体的に、管理制御部１３は、コード生成処理手段１３ａと、決済処理手段１３ｂと、履歴処理手段１３ｃと、認証処理手段１３ｄと、を有している。
コード生成処理手段１３ａは、設定端末２０から送信される商品の登録情報に基づき、販売用コードＳの情報と認証用コードＴの情報とを生成する。商品の登録情報は、商品の内容を示す情報である。販売用コードＳ及び認証用コードＴは、互いに関連づけられた二次元コードである。コード生成処理手段１３ａは、販売用コードＳ及び認証用コードＴを、１つの商品に対応づけて生成する。
【００２６】
決済処理手段１３ｂは、携帯端末４０から決済用データが送信されると、決済サーバ２００へ決済要求を送信する。決済処理手段１３ｂは、決済サーバ２００から決済信号が返信された場合、販売用商品情報と購入者の情報とを含む購入済データを管理記憶部１２に記憶させると共に、精算の完了を示す精算完了信号を携帯端末４０へ送信する。決済処理手段１３ｂは、決済サーバ２００からエラー信号が返信された場合、商品が未精算である旨の未精算信号を携帯端末４０へ送信する。
【００２７】
履歴処理手段１３ｃは、携帯端末４０から履歴要求が送信された場合、携帯端末４０の所有者による商品の購入履歴を示す履歴情報を返信する。履歴情報は、決済処理手段１３ｂが管理記憶部１２に記憶させた購入済データを履歴処理手段１３ｃが整理した情報である。
【００２８】
認証処理手段１３ｄは、携帯端末４０から受信する認証データと、管理記憶部１２に記録されている購入済データとを照合することにより、携帯端末４０の所有者が適正な購入者であるか否かを解析する認証処理を実行する。認証処理手段１３ｄは、認証用商品情報と購入済データの商品情報とが一致し又は対応し、かつ購入者の情報と携帯端末４０の所有者の情報とが一致した場合に、照合が成立したことを示す適正信号を携帯端末４０へ送信する。
【００２９】
管理制御部１３は、ＣＰＵ（Ｃｅｎｔｒａｌ  Ｐｒｏｃｅｓｓｉｎｇ  Ｕｎｉｔ）などの演算装置と、こうした演算装置と協働して上記の各種機能を実現させるソフトウェアとにより構成することができる。
【００３０】
管理記憶部１２は、販売用コードＳを読み取った機器を介して商品が購入されたとき、販売用商品情報と購入者の情報とを含む購入済データを記憶するものである。管理記憶部１２には、管理制御部１３の動作プログラムが格納されており、かつ商品の管理に関連する種々の情報などが記憶される。動作プログラムは、上述した商品管理プログラムを含んでいる。本実施の形態の管理記憶部１２には、管理支援プログラムと商品購入プログラムとが格納されている。
【００３１】
管理記憶部１２は、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）、フラッシュメモリ等のＰＲＯＭ（Ｐｒｏｇｒａｍｍａｂｌｅ  ＲＯＭ）、又はＨＤＤ（Ｈａｒｄ  Ｄｉｓｋ  Ｄｒｉｖｅ）などにより構成することができる。
【００３２】
ここで、管理記憶部１２及び管理制御部１３は、管理装置１０に設けられたコンピュータに相当する。つまり、商品管理プログラムは、販売用コードＳ及び認証用コードＴを生成するコード生成処理手段１３ａ、販売用コードを読み取った機器を介して商品が購入されたとき、販売用コードに関連づけられた商品情報と購入者の情報とを含む購入済データを管理記憶部１２に記憶させる記憶処理手段（決済処理手段１３ｂ）、及び認証用コードを読み取った携帯端末から認証用コードに関連づけられた商品情報と携帯端末の所有者の情報とを含む認証データが送信されたとき、認証データと購入済データとを照合して認証処理を行う認証処理手段１３ｄ、としてコンピュータを機能させる。
【００３３】
図３は、図１の設定端末の機能的な構成を例示したブロック図である。図３に示すように、設定端末２０は、設定通信部２１と、設定入力部２２と、設定表示部２３と、設定記憶部２４と、設定処理部２５と、を有している。
【００３４】
設定通信部２１は、設定端末２０が管理装置１０及び携帯端末４０などの外部機器との間で通信を行うためのインタフェースである。設定入力部２２は、キーボードと、マウス又はトラックボールなどのポインティングデバイスとを含んで構成される。設定入力部２２は、ユーザによる入力操作を受け付け、入力操作の内容に応じた操作信号を設定処理部２５へ送信する。設定表示部２３は、例えば液晶ディスプレイ（ＬＣＤ：Ｌｉｑｕｉｄ  Ｃｒｙｓｔａｌ  Ｄｉｓｐｌａｙ）からなり、設定処理部２５からに指示により種々の情報を表示する。
【００３５】
設定記憶部２４には、設定処理部２５の動作プログラムが格納されており、商品を管理するための種々の情報などが記憶される。設定記憶部２４は、ＲＡＭ及びＲＯＭ、フラッシュメモリ等のＰＲＯＭ、又はＨＤＤなどにより構成することができる。
【００３６】
設定処理部２５は、設定入力部２２からの操作信号、又は外部機器から送信される各種の信号に応じて、設定表示部２３に種々の情報を表示させる。また、設定処理部２５は、設定入力部２２からの操作信号に応じて外部機器へ情報を送信する機能をもつ。
【００３７】
設定処理部２５は、ユーザの操作に応じて、商品の情報を登録するための商品登録欄Ｃを設定表示部２３に表示させる。設定処理部２５は、ユーザによるコード生成指示を受け付けると、ユーザにより入力された商品の登録情報を管理装置１０へ送信する。
【００３８】
設定処理部２５は、管理装置１０から販売用コードＳの情報及び認証用コードＴの情報を受信して設定記憶部２４に記憶させる。また、設定処理部２５は、ユーザによる操作に応じて、販売用コードＳ及び認証用コードＴのうちの少なくとも１つを出力する機能を有している。
【００３９】
設定処理部２５は、ＣＰＵなどの演算装置と、こうした演算装置と協働して上記の各種機能を実現させるソフトウェアとにより構成することができる。なお、設定端末２０は、設定入力部２２及び設定表示部２３の代わりに、文字又は画像等の表示を行う表示パネルと、当該表示パネルに積層されてタッチ操作を検出する検出手段とを含むタッチパネルを有していてもよい。また、設定端末２０は、設定入力部２２及び設定表示部２３のうちの少なくとも一方とタッチパネルとを併せ持っていてもよい。
【００４０】
図４は、図１の携帯端末の機能的な構成を例示したブロック図である。図４に示すように、携帯端末４０は、端末通信部４１と、入力表示部４２と、読取部４３と、端末記憶部４４と、端末制御部４５と、を有している。
【００４１】
端末通信部４１は、携帯端末４０が管理装置１０などの外部機器との間で通信を行うためのインタフェースである。端末通信部４１は、Ｂｌｕｅｔｏｏｔｈ（登録商標、以下同様）又はＷｉＦｉ（登録商標、以下同様）等の無線ＬＡＮなど、任意の通信規格により通信を行う機能を有している。端末通信部４１は、近距離無線通信によって通信を行う機能を有していてもよい。
【００４２】
入力表示部４２は、入力部４２ａと表示部４２ｂとが互いに積層されて構成されたタッチパネルである。入力部４２ａは、ユーザによる入力操作を受け付け、入力操作の内容に応じた信号を端末制御部４５へ出力する。より具体的に、入力部４２ａは、ユーザによりタッチされた位置を検出し、検出した位置を示す信号を端末制御部４５へ出力する。表示部４２ｂは、例えば液晶パネルからなり、端末制御部４５により制御されて文字及び画像などを表示する。
【００４３】
読取部４３は、カメラを含んで構成されており、カメラによって読み取った画像の情報を端末制御部４５へ出力する。端末記憶部４４には、端末制御部４５の動作プログラムが格納されており、種々の情報が記憶される。端末記憶部４４は、ＲＡＭ及びＲＯＭ、フラッシュメモリ等のＰＲＯＭ、又はＨＤＤなどにより構成することができる。
【００４４】
端末制御部４５は、入力部４２ａからの信号、又は外部機器から送信される各種の信号に応じて、表示部４２ｂに種々の情報を表示させる。また、端末制御部４５は、入力部４２ａからの操作信号に応じた情報を外部機器へ送信する。また、端末制御部４５は、読取部４３を起動させて撮像表示画面Ｇｓに切り替え、販売用コードＳ及び認証用コードＴなどの二次元コードを読み取ることにより、二次元コードに含まれる情報を解析する機能をもつ。
【００４５】
ここで、販売用コードＳは、商品に対応づけられた購入用のＵＲＬ情報を含んでいる。より具体的に、販売用コードＳは、商品に対応づけられた数量設定欄Ｆ１を含み、商品をダイレクトに購入するための購入情報画面ＧｔのＵＲＬ情報を含んでいる。ユーザが１つの商品を購入する場合、購入情報画面Ｇｔは１つの数量設定欄Ｆ１を含み、ユーザが複数の商品をまとめて購入する場合、購入情報画面Ｇｔは複数の数量設定欄Ｆ１を含む。販売用コードＳは商品ごとに生成され、数量設定欄Ｆ１も商品ごとに生成される。よって、携帯端末４０が販売用コードＳを読み取ると、携帯端末４０の画面は購入情報画面Ｇｔに遷移する。
【００４６】
したがって、販売用商品情報、すなわち販売用コードＳに関連づけられた商品情報は、販売用コードＳに含まれる情報であってもよく、購入情報画面Ｇｔの数量設定欄Ｆ１に含まれる情報であってもよい。認証用商品情報、すなわち認証用コードＴに関連づけられた商品情報は、認証用コードＴに含まれる情報である。販売用商品情報と認証用商品情報とは、同一の情報であってもよく、対応する情報、つまり互いに関連づけられた情報であってもよい。
【００４７】
端末制御部４５は、読取部４３から販売用コードＳの情報が出力されると、販売用コードＳに含まれるＵＲＬ情報に基づいて、表示部４２ｂに、購入情報画面Ｇｔ、つまり数量設定欄Ｆ１を表示させる。ユーザが所定の設定を終えて商品の購入を指示すると、端末制御部４５は、販売用商品情報及び購入者の情報を決済用データとして管理装置１０に送信する。
【００４８】
端末制御部４５は、管理装置１０から精算完了信号が送信された場合、表示部４２ｂに精算完了画面Ｇａを表示させ、管理装置１０からエラー信号が送信された場合、表示部４２ｂに未精算画面Ｇｂを表示させる。端末制御部４５は、ユーザによる商品の購入履歴を表示部４２ｂに表示させる機能と、管理装置１０に商品の領収証を出力させる機能とを有している。端末制御部４５は、ＣＰＵなどの演算装置と、こうした演算装置と協働して上記の各種機能を実現させるソフトウェアとにより構成することができる。
【００４９】
ここで、販売用コードＳ及び認証用コードＴは、紙媒体などに掲載されたものでもよい。また、販売用コードＳは、利用者端末３０又はコンビニエンスストアなどに設置された端末機器に表示されてもよい。認証用コードＴは、加盟店などに設置された端末機器に表示されてもよい。販売用コードＳが掲載される紙媒体としては、電車などに掲示された広告又は雑誌などが想定される。認証用コードＴが掲載される紙媒体としては、加盟店又はイベント会場の店頭掲示などが想定される。
【００５０】
例えば、利用者端末３０に販売用コードＳを表示させる場合、ユーザは、商品を販売する加盟店のＷｅｂサイトにジャンプし、所望の商品の販売用コードＳが掲載されたページを利用者端末３０に表示させる。この場合、ユーザは、利用者端末３０に表示された販売用コードＳを携帯端末４０で読み取ることにより、該商品の数量設定欄Ｆ１を含む購入情報画面Ｇｔを携帯端末４０に表示させることができる。
【００５１】
図５は、図３の設定端末の設定表示部に表示される商品登録欄を例示した説明図である。図６は、図３の設定端末の設定表示部に表示されるコード表示欄を例示した説明図である。図５では、設定表示部２３の表示画面Ｇに商品登録欄Ｃが表示されており、商品として、チケット又はクーポンを登録する場合を例示している。図５の商品登録欄Ｃは、イベントＭ１についての情報が既に登録されており、別の商品が新規登録されている状況に対応している。図５及び図６を参照して、商品登録欄Ｃの内容、販売用コードＳ、及び認証用コードＴについて具体的に説明する。
【００５２】
商品登録欄Ｃは、新規の商品を登録するための新規登録欄Ｃｎと、既に登録された商品に対応する既存情報欄Ｃｐと、を有している。新規登録欄Ｃｎ及び既存情報欄Ｃｐは、ＩＤ入力欄Ｄ１と、登録日欄Ｄ２と、品名入力欄Ｄ３と、単価入力欄Ｄ４と、在庫数欄Ｄ５と、２つの無制限選択ボタンＢｍと、回数設定欄Ｄ６と、期限指定ボタンＢｄと、期限入力欄Ｄ７と、設定ボタンＢｎと、表示内容欄Ｄ８と、を有している。また、新規登録欄Ｃｎは、作成完了ボタンＢｅを有しており、既存情報欄Ｃｐは、選択欄Ｄ０と、複製ボタンＢｆと、を有している。さらに、商品登録欄Ｃは、コード生成ボタンＢ１と、新規登録ボタンＢ２と、削除ボタンＢ３と、検索欄Ｄｘと、を有している。
【００５３】
ＩＤ入力欄Ｄ１は、ユーザが任意に設定可能な商品のＩＤを入力する欄であり、登録日欄Ｄ２は、商品を登録する日付を入力する欄である。品名入力欄Ｄ３は、商品名を入力する欄であり、単価入力欄Ｄ４は、商品の単価を入力する欄である。在庫数欄Ｄ５は、商品の在庫数もしくは販売可能な数を入力する欄である。在庫数欄Ｄ５に対応づけられた無制限選択ボタンＢｍをクリックすることにより、当該商品を無制限で販売できる設定となる。回数設定欄Ｄ６は、商品の使用の上限回数である使用限度数を入力する欄である。回数設定欄Ｄ６に対応づけられた無制限選択ボタンＢｍをクリックすることにより、当該商品を無期限で使用できる設定となる。
【００５４】
期限指定ボタンＢｄは、有効期限の有無及び設定方法を指定するボタンであり、選択キーＫ１を押下すると、期間指定キーＰ、日付指定キーＱ、又は無制限キーＲなどの選択ボタンがドロップダウンリストのように表示される。期間指定キーＰが選択された場合、期限入力欄Ｄ７は、購入日からの日数を入力する欄となる。日付指定キーＱが選択された場合、期限入力欄Ｄ７は、有効期限が満了する日時を入力する欄となる。もっとも、日付指定キーＱが選択された場合の期限入力欄Ｄ７は、有効期限が満了する日付を入力する欄としてもよい。なお、無制限キーＲが選択された場合、期限入力欄Ｄ７は不要となる。表示内容欄Ｄ８は、商品の購入が決定する前に、該商品についての留意事項を入力する欄である。設定ボタンＢｎの切替操作を行うことにより、表示内容欄Ｄ８への入力の可否が決まる。
【００５５】
新規登録欄Ｃｎの作成完了ボタンＢｅが押下されると、設定端末２０は、新規登録欄Ｃｎにおいて入力された商品の内容を登録する。既存情報欄Ｃｐの複製ボタンＢｆが押下されると、設定端末２０は、当該既存情報欄Ｃｐの内容を商品登録欄Ｃにコピーして表示する。これにより、ユーザは、既存の既存情報欄Ｃｐの内容に近い商品の設定登録を効率的に行うことができる。
【００５６】
少なくとも１つの選択欄Ｄ０にチェックを入れて、コード生成ボタンＢ１を押下すると、設定端末２０は、ユーザにより設定された商品の登録情報を管理装置１０へ送信する。これにより、１つの商品に対応づけられた２つの二次元コードである販売用コードＳと認証用コードＴとが管理装置１０によって生成され、これらの情報が設定端末２０に返信される。
【００５７】
本実施の形態では、管理装置１０から販売用コードＳの情報と認証用コードＴの情報とが返信されたとき、設定端末２０が、例えば図６のように、販売用コードＳと認証用コードＴとを表示するようになっている。図６では、コード表示欄Ｅが表示されるときに背景が暗くなる例を示しているが、この表示態様に限定されない。
【００５８】
ここで、ユーザは、商品の登録が完了すると、設定端末２０などを介して、販売用コードＳと認証用コードＴとを個別に出力させることができる。よって、ユーザは、販売用コードＳ及び認証用コードＴのプリントアウト又は表示を好ましいタイミングで行うことができる。
【００５９】
新規登録ボタンＢ２が押下されると、設定端末２０は、図５に示すような新規登録欄Ｃｎを表示させる。これにより、ユーザは、新規な商品の情報の入力することができる。少なくとも１つの選択欄Ｄ０にチェックが入った状態で、削除ボタンＢ３が押下されると、設定端末２０は、チェックされた商品の登録情報を削除する。検索欄Ｄｘは、既に登録されている商品を検索するための欄である。
【００６０】
図７は、図４の携帯端末により販売用コードを読み取って商品を購入する流れを例示した説明図である。図８は、図４の携帯端末で商品の購入が完了した状態を例示する説明図である。図９は、図４の携帯端末で商品が購入できなかった状態を例示する説明図である。図１０は、図４の携帯端末に商品の購入履歴が表示された例を示す説明図である。図１１は、図４の携帯端末に、購入支援サービスを利用して購入された複数の商品の購入履歴が表示された例を示す説明図である。図１２は、図４の携帯端末に、領収証の出力選択欄が表示された例を示す説明図である。図１３は、図５の表示内容欄に記載がある商品の購入時において、図４の携帯端末に注意喚起欄が表示された例を示す説明図である。
【００６１】
ここで、ユーザは、商品購入プログラムをインストールした携帯端末４０において、パスコード、氏名、メールアドレス、電話番号、住所、及び支払い情報などの個人情報を登録する。支払い情報としては、クレジットカードの情報などがあり、複数のクレジットカードを登録することもできる。これにより、販売用コードＳ及び認証用コードＴのそれぞれに関連づけられた商品情報と個人情報との紐付けが可能となる。すなわち、図７〜図１３は、個人情報の登録が完了した後の各状態を例示したものである。図７〜図１３を参照して、携帯端末４０による商品の購入及び確認の流れを説明する。
【００６２】
図７（ａ）は、携帯端末４０に撮像表示画面Ｇｓが表示された例である。撮像表示画面Ｇｓには、読取部４３によって読み取られた画像が表示される。図７（ａ）の撮像表示画面Ｇｓには、二次元コードの位置合わせの基準となる中心枠Ｕが表示されている。
【００６３】
図７（ａ）の入力表示部４２には、戻るキーＫｒと、サービス表示部Ｈ１と、処理表示部Ｈ２と、購入設定ボタンＢｘと、読み取りボタンＢｙと、履歴ボタンＢｚと、が表示されている。戻るキーＫｒは、前の画面に戻すための仮想ボタンであり、サービス表示部Ｈ１は、ユーザに提供するサービスの名称などが表示される箇所である。処理表示部Ｈ２は、携帯端末４０によって実行されている処理内容が表示される箇所である。購入設定ボタンＢｘが押下されると、携帯端末４０は、商品を購入する際の支払い方法などを設定する画面を表示する。読み取りボタンＢｙが押下されると、携帯端末４０は、読取部４３を起動させて、撮像表示画面Ｇｓを表示する。履歴ボタンＢｚが押下されると、携帯端末４０は、商品の購入履歴を表示する。以下の各図についても同様である。
【００６４】
携帯端末４０は、図７（ａ）の状態で販売用コードＳを読み取ると、図７（ｂ）のように、数量設定欄Ｆ１と合計表示欄Ｆ２とを含む購入情報画面Ｇｔを表示する。数量設定欄Ｆ１は、マイナスボタンＢａとプラスボタンＢｂとを有しており、購入予定の商品Ａ１の数量を変更することができる。合計表示欄Ｆ２には、現在の合計金額が表示されている。合計表示欄Ｆ２は、商品を追加するための追加ボタンＢｇと、購入する商品を確定するための確定ボタンＢｈと、を有している。追加ボタンＢｇが押下されると、携帯端末４０は、図７（ａ）の状態に移行し、別の商品の販売用コードＳを読み取ったとき、例えば、後述する図１３（ａ）のように２つの数量設定欄Ｆ１を表示する。
【００６５】
確定ボタンＢｈが押下されると、携帯端末４０は、図７（ｃ）のように、支払い選択欄Ｆ３を表示する。支払い選択欄Ｆ３は、少なくとも１つの選択ボタンＢｉと、キャンセルボタンＢｊと、を有している。図７（ｃ）は、３つのクレジットカードが登録されている例であり、３つの選択ボタンＢｉが表示されている。キャンセルボタンＢｊが押下されると、携帯端末４０は、例えば図７（ｂ）のような１つ前の画面に戻す。一方、選択ボタンＢｉが押下されると、携帯端末４０は、管理装置１０及び決済サーバ２００と連携して精算処理を実行する。そして、携帯端末４０は、精算が完了した場合に、図８のような精算完了画面Ｇａを表示し、精算が完了できなかった場合に、図９のような未精算画面Ｇｂを表示する。もっとも、携帯端末４０は、確定ボタンＢｈが押下されたとき、支払い選択欄Ｆ３を表示せずに精算処理を実行してもよい。
【００６６】
例えば、商品Ａ１の精算が完了した後に履歴ボタンＢｚが押下されると、携帯端末４０は、図１０のように、商品Ａ１についての購入履歴欄Ｊを表示する。購入履歴欄Ｊは、例えば、購入日時、商品名、数量、及び決済金額の情報と、領収証ボタンＢｋと、を有する。
【００６７】
ユーザが購入支援サービスを用いて複数の商品を購入している場合、携帯端末４０は、図１１のように、複数の商品についての購入履歴欄Ｊを表示する。図１１のイベントＭ１及びイベントＭ２のように、使用回数に制限がある場合、購入履歴欄Ｊには、商品の現在の使用回数の情報を含むとよい。以降では、商品の現在の使用回数のことを使用回数Ｎという。図１１の例では、回数の箇所に、使用回数Ｎと使用限度数とが対応づけて表示されている。本実施の形態において、使用回数Ｎは、認証処理手段１３ｄのカウンタ機能によって管理される。
【００６８】
領収証ボタンＢｋが押下されると、携帯端末４０は、図１２のような出力選択欄Ｃｒを表示する。図１２に例示する出力選択欄Ｃｒは、アドレス入力欄Ｄａと、表示ボタンＢｓと、送信ボタンＢｔと、キャンセルボタンＢｊと、を有している。携帯端末４０は、表示ボタンＢｓが押下された場合に領収証を表示する。携帯端末４０は、送信ボタンＢｔが押下されると、予め登録されているメールアドレス宛に領収証の情報を送信する。アドレス入力欄Ｄａにメールアドレスが入力された後、送信ボタンＢｔが押下されると、携帯端末４０は、入力されたメールアドレス宛に領収証の情報を送信する。図１２では、携帯端末４０が、出力選択欄Ｃｒと共に、アドレス入力欄Ｄａへの入力用の仮想キーボードＶを表示する場合を例示している。携帯端末４０は、領収証の表示及び送信を単独で行ってもよく、管理装置１０と連携して行ってもよい。
【００６９】
ところで、図７では、（ａ）の状態で確定ボタンＢｈが押下されたとき、携帯端末４０が支払い選択欄Ｆ３を表示する例を示したが、これに限定されない。携帯端末４０は、確定ボタンＢｈが押下されたとき、図１３（ｂ）のように注意喚起欄Ｄｃ及び了承ボタンＢｃを表示してもよい。注意喚起欄Ｄｃには、例えば、現時点の個人情報とチケット使用時の個人情報が不一致の場合には使用ができない旨の喚起情報が表示される。
【００７０】
喚起情報は、例えば、図５の表示内容欄Ｄ８に入力され、登録された情報である。図１３では、少なくともイベントＭ１に喚起情報が登録されているものとする。よって、図１３（ａ）の状態で確定ボタンＢｈが押下されると、携帯端末４０は、図１３（ｂ）のように、注意喚起欄Ｄｃ及び了承ボタンＢｃを表示する。そして、了承ボタンＢｃが押下されたとき、携帯端末４０は、図７（ｃ）のような支払い選択欄Ｆ３を表示する。
【００７１】
図１４は、図１の設定端末を操作して商品に対応する二次元コードを取得する流れを示すシーケンスチャートである。図１４を参照して、商品管理システム１００による商品管理方法のうち、設定端末２０と管理装置１０とが連携して行う、商品ごとの販売用コードＳ及び認証用コードＴの生成方法について説明する。
【００７２】
まず、設定端末２０は、ユーザの操作に応じて管理支援サービスへのログイン画面を表示し、ユーザがパスワードなどを入力することによりログイン処理を行う。そして、設定端末２０は、ユーザによる商品登録欄Ｃの呼び出し操作を受け付けたときに（ステップＳ１０１）、商品登録欄Ｃを表示する（ステップＳ１０２）。次いで、設定端末２０は、ユーザによる商品の設定操作及びコード生成指示を受け付けると（ステップＳ１０３）、商品の登録情報を管理装置１０へ送信する（ステップＳ１０４）。
【００７３】
管理装置１０は、設定端末２０から送信された商品の登録情報に基づき、販売用コードＳの情報と認証用コードＴの情報とを生成する（ステップＳ１０５）。次いで、管理装置１０は、生成した販売用コードＳの情報及び認証用コードＴの情報を設定端末２０へ送信する（ステップＳ１０６）。
【００７４】
設定端末２０は、管理装置１０から送信された販売用コードＳの情報及び認証用コードＴの情報を記憶する（ステップＳ１０７）。これにより、設定端末２０は、販売用コードＳ及び認証用コードＴのうちの少なくとも１つの出力が指示されたとき（ステップＳ１０８）、指定された態様で、販売用コードＳ及び認証用コードＴのうちの少なくとも１つを出力することができる。出力の態様としては、設定表示部２３に表示させる態様（図６参照）、及び設定端末２０に接続されたプリンタ（図示せず）によりプリントアウトする態様などが想定される（ステップＳ１０９）。
【００７５】
図１５は、図１の携帯端末を利用してユーザが商品を購入する流れを示すシーケンスチャートである。図１５を参照して、商品管理システム１００による商品管理方法のうち、携帯端末４０を用いた商品の購入方法について説明する。
【００７６】
まず、携帯端末４０は、ユーザの操作に応じて購入支援サービスへのログイン処理を行い、購入支援サービスのホーム画面を表示する（ステップＳ２０１）。そして、携帯端末４０は、二次元コードの読み取りを指示する読取指示を受け付けると（ステップＳ２０２）、読取部４３を起動させて撮像表示画面Ｇｓを表示させる（ステップＳ２０３）。
【００７７】
ユーザの操作により、販売用コードＳがカメラによる撮像範囲内に収まると、携帯端末４０は、読取部４３によって販売用コードＳを読み取り（ステップＳ２０４）、販売用コードＳに含まれるＵＲＬに基づいて購入情報画面Ｇｔを表示する（ステップＳ２０５）。ユーザが、購入情報画面Ｇｔの数量設定欄Ｆ１において、入力部４２ａを介して商品の数量などを設定し、購入情報の確定を指示すると、端末制御部４５は、表示部４２ｂに支払い選択欄Ｆ３などの決済情報を表示させる（ステップＳ２０６）。端末制御部４５は、入力部４２ａを介して購入指示を受け付けると（ステップＳ２０７）、販売用商品情報及び購入者の情報を決済用データとして管理装置１０に送信する（ステップＳ２０８）。
【００７８】
管理装置１０は、携帯端末４０から決済用データが送信されると、決済サーバ２００へ決済要求を送信する（ステップＳ２０９）。決済サーバ２００は、管理装置１０からの決済要求に応じて決済処理を行い（ステップＳ２１０）、問題なく決済が完了できた場合に管理装置１０へ決済信号を送信する（ステップＳ２１１）。
【００７９】
管理装置１０は、決済サーバ２００から決済信号が送信されると、販売用商品情報と購入者の情報とを含む購入済データを登録すると共に（ステップＳ２１２）、携帯端末４０に精算完了信号を送信する。このとき、管理装置１０は、ユーザにより登録されたメールアドレス宛てに精算内容を示す情報を送信してもよい（ステップＳ２１３）。
【００８０】
携帯端末４０は、管理装置１０から精算完了信号が送信されると、精算完了画面Ｇａを表示させる（ステップＳ２１４）。
【００８１】
さらに、携帯端末４０は、ユーザにより購入履歴の表示が指示されると（ステップＳ２１５）、管理装置１０に履歴要求を送信する（ステップＳ２１６）。管理装置１０は、携帯端末４０からの履歴要求に応じて履歴情報を返信する（ステップＳ２１７）。携帯端末４０は、履歴情報に基づく購入履歴欄Ｊを表示する（ステップＳ２１８）。
【００８２】
ユーザにより領収証の出力が指示されると（ステップＳ２１９）、携帯端末４０は、領収証の出力選択欄Ｃｒを表示する（ステップＳ２２０）。ユーザにより領収証の出力方法が指示されると（ステップＳ２２１）、ユーザの指示に基づく出力要求を管理装置１０へ送信する（ステップＳ２２２）。
【００８３】
管理装置１０は、携帯端末４０からの出力要求に応じて、出力要求の示す形態により領収証を出力する。例えば、ステップＳ２２１において、領収証の表示が指示された場合、管理装置１０は、領収証の情報を携帯端末４０へ送信する。すると、携帯端末４０が領収証を表示する（ステップＳ２２４）。また、ステップＳ２２１において、領収証の送信が指示された場合、管理装置１０は、ユーザにより登録されたメールアドレスに領収証の情報を送信する。
【００８４】
もっとも、決済サーバ２００は、ステップＳ２１０の決済処理において決済が完了できなかった場合、管理装置１０へエラー信号を送信する。この場合、管理装置１０は携帯端末４０に未精算信号を送信し、携帯端末４０は、未精算信号に応じて未精算画面Ｇｂを表示する。
【００８５】
図１７では、携帯端末４０の表示画面が、ホーム画面から撮像表示画面Ｇｓに遷移する場合を例示したが、これに限定されない。携帯端末４０は、ログイン処理が完了したとき、すぐに読取部４３を起動させて撮像表示画面Ｇｓを表示してもよい。
【００８６】
図１６は、図１の携帯端末を利用してユーザが商品を使用する流れを示すシーケンスチャートである。図１６を参照して、商品管理システム１００による商品管理方法のうち、携帯端末４０を用いた商品の使用方法について説明する。図１５と同様の処理には同一の符号を付して説明は省略する。
【００８７】
携帯端末４０は、図１５の場合と同様に、ステップＳ２０１〜Ｓ２０３の処理を実行する。次いで、ユーザの操作により、認証用コードＴがカメラによる撮像範囲内に収まると、携帯端末４０は、読取部４３によって認証用コードＴを読み取る（ステップＳ３０１）。そして、携帯端末４０は、管理装置１０に、認証用商品情報と携帯端末４０の所有者の情報とを含む認証データを送信する（ステップＳ３０２）。
【００８８】
管理装置１０は、携帯端末４０から送信される認証データを用いて認証処理を行う（ステップＳ３０３）。そして、管理装置１０は、認証処理の結果である認証結果を携帯端末４０に返送する（ステップＳ３０４）。携帯端末４０は、管理装置１０からの認証結果に応じた情報を表示する（ステップＳ３０５）。
【００８９】
図１７は、図１６のステップＳ３０３及びＳ３０４の処理の具体例を示すフローチャートである。図１８は、認証データと購入済データとの照合が成立したときに図４の携帯端末に表示される使用許可画面を例示した説明図である。図１９は、認証データと購入済データとの照合が成立したときに図４の携帯端末に表示されるエラー画面を例示した説明図である。図１７〜図１９を参照して、ユーザが商品を使用する際の処理の一例を説明する。
【００９０】
管理装置１０は、携帯端末４０から認証データを受信すると（ステップＳ４０１）、受信した認証データと、管理記憶部１２に記録されている購入済データとを照合する（ステップＳ４０２）。管理装置１０は、認証用商品情報と購入済データの商品情報とが一致し又は対応し、かつ購入者の情報と携帯端末４０の所有者の情報とが一致することにより、照合が成立すると（ステップＳ４０３／Ｙｅｓ）、携帯端末４０に適正信号を送信する（ステップＳ４０４）。一方、管理装置１０は、照合が成立しなければ（ステップＳ４０３／Ｎｏ）、携帯端末４０にエラー信号を送信する（ステップＳ４０５）。
【００９１】
ここで、携帯端末４０は、管理装置１０から適正信号が送信されると、例えば図１８に示すような使用許可画面Ｇｃを表示する。使用許可画面Ｇｃは、認証データと購入済データとの照合が成立した旨、つまり携帯端末４０の所有者が正当な購入者である旨を示す情報であり、図１４の態様に限定されない。ユーザは、使用許可画面Ｇｃをイベント会場などの入口のスタッフに提示することにより、イベント会場に入場することができる。一方、携帯端末４０は、管理装置１０からエラー信号が送信されると、例えば図１９のようなエラー画面Ｇｄを表示する。エラー画面Ｇｄには、図１９のように、具体的な対応案を記載するとよい。
【００９２】
図１８及び図１９では、商品として、イベントなどのチケットを例示したが、商品が販売品の引換券の場合は、店舗で使用許可画面Ｇｃを提示することにより、購入品を受け取ることができる。
【００９３】
図２０は、図１７の変形例を示すフローチャートである。図２０に基づき、商品に有効期限及び使用限度数のうちの少なくとも一方が設定されている場合の照合処理について説明する。図１７と同様の処理には同一の符号を付して説明は省略する。なお、図２０は、商品に有効期限及び使用回数が設定されている場合の例である。
【００９４】
管理装置１０は、図１７の場合と同様に、ステップＳ４０１〜Ｓ４０３の処理を行い、照合が成立すると（ステップＳ４０３／Ｙｅｓ）、商品の有効期限が経過しているか否かを判定する（ステップＳ４１１）。管理装置１０は、商品の有効期限が経過している場合（ステップＳ４１１／Ｙｅｓ）、携帯端末４０にエラー信号を送信する（ステップＳ４０５）。一方、管理装置１０は、商品の有効期限が経過していなければ（ステップＳ４１１／Ｎｏ）、使用回数Ｎが使用限度数未満であるか否かを判定する（ステップＳ４１２）。
【００９５】
管理装置１０は、使用回数Ｎが使用限度数未満であれば（ステップＳ４１２／Ｙｅｓ）、使用回数Ｎに１を加算して更新し（ステップＳ４１３）、携帯端末４０に適正信号を送信する（ステップＳ４０４）。一方、管理装置１０は、使用回数Ｎが使用限度数以上であれば（ステップＳ４１２／Ｎｏ）、携帯端末４０にエラー信号を送信する（ステップＳ４０５）。
【００９６】
使用回数Ｎは、初期設定において０となっており、使用される度に１が加算される。例えば、使用限度数が３に設定されている場合、１回目の使用で使用回数Ｎは１（０＋１）となり、２回目の使用で使用回数Ｎは２（１＋１）となり、３回目の使用で使用回数Ｎは３（２＋１）となる。すると、４回目の使用の際は、使用回数Ｎの３と使用限度数の３とが等しくなり、使用回数Ｎが使用限度数以上となるため、管理装置１０は、携帯端末４０にエラー信号を送信することとなる。
【００９７】
上記の説明は、図２０に示す順序に則して行ったが、各処理の順序は適宜変更することができる。例えば、ステップＳ４１１とステップＳ４１２との順序を入れ替えてもよく、ステップＳ４１３とステップＳ４０４との順序を入れ替えてもよい。また、商品に有効期限が設定されていない場合、又は有効期限が無期限に設定されている場合は、ステップＳ４１１の処理を省略することができる。同様に、商品に使用限度数が設定されていない場合は、ステップＳ４１２及びＳ４１３の処理を省略することができる。
【００９８】
以上のように、本実施の形態の管理装置１０は、販売用コードＳを用いて購入された商品が使用される際、販売用コードＳに対応する購入済データと、認証用コードＴに対応する認証データとを照合して認証処理を行う。よって、電子チケットのプリントアウト及び表示が不要となり、かつ第三者による不正使用を抑制することができるため、セキュリティー性の高い状態で、商品の購入及び使用を簡易かつ迅速に実現することができる。すなわち、ユーザは、販売用コードＳを用いて商品を購入すれば、商品を使用する際、携帯端末４０で認証用コードＴを読み取るだけで、正当な購入者であることを示すことができる。
【００９９】
本実施の形態において、管理制御部１３は、販売用コードＳと認証用コードＴとを生成するようになっている。もっとも、設定端末２０が、販売用コードＳと認証用コードＴとを生成するように構成してよいが、管理装置１０が販売用コードＳ及び認証用コードＴを生成するようにすれば、設定端末２０に格納するプログラムなどの情報量を低減することができる。また、本実施の形態の販売用コードＳ及び認証用コードＴは、何れも二次元コードである。そのため、バーコードなどの一次元コードよりも多くの情報を管理することができる。なお、販売用コードＳ及び認証用コードＴのうちの少なくとも一方を、バーコードなどの一次元コードにより生成してもよく、三次元コードにより生成してもよい。
【０１００】
ところで、従来のように、二次元コードを用いてトップページなどにアクセスしても、所望の商品を購入するには、検索等のための入力操作が必要となる。つまり、複数の商品に共通のページから各商品の購入画面に移動するためには、数回に亘る入力操作が必要となる。この点、本実施の形態の販売用コードＳは、商品に対応づけられた購入用のＵＲＬ情報を含んでいる。つまり、商品管理システム１００では、商品ごとに販売用コードＳと数量設定欄Ｆ１とが存在し、携帯端末４０で販売用コードＳを読み取ることにより、販売用コードＳに対応する商品の数量設定欄Ｆ１を含む購入情報画面Ｇｔに移動することができる。したがって、ユーザの商品購入時の煩雑な作業を減らすことができる。
【０１０１】
また、管理装置１０は、認証データと購入済データとの照合が成立した場合、携帯端末４０に適正信号を送信する。そして、携帯端末４０は、管理装置１０から適正信号が送信された場合に使用許可画面Ｇｃを表示する。そのため、加盟店又はイベントのスタッフに対し、携帯端末４０に表示された使用許可画面Ｇｃを提示することにより、商品を迅速に使用することができる。
【０１０２】
さらに、管理装置１０は、商品に使用の上限回数である使用限度数が設定されている場合、認証データと購入済データとの照合が成立し、かつ使用回数Ｎが使用限度数未満であれば、携帯端末４０に適正信号を送信する。このように、管理装置１０によれば、使用回数Ｎと使用限度数とを比較することにより、商品の使用者適格をさらに細かく判断することができる。ところで、設定端末２０又は携帯端末４０には、使用限度数が設定されている商品の使用履歴を表示させる機能を持たせることができる。このようにすれば、加盟店又は携帯端末４０のユーザが適時に使用回数Ｎを把握することができる。
【０１０３】
ここで、上述した実施の形態は、管理装置、商品管理システム、商品管理方法、及び商品管理プログラムにおける好適な具体例であり、本発明の技術的範囲は、これらの態様に限定されるものではない。例えば、上記実施の形態では、販売用コードＳを携帯端末４０で読み取る場合を例示したが、これに限定されない。すなわち、商品購入プログラムがインストールされ、かつ携帯端末４０の所有者が購入支援サービスにログインできる機器であれば、携帯端末４０以外の機器で販売用コードＳが読み取られ、精算処理が行われてもよい。つまり、販売用コードＳの読取処理と、認証用コードＴの読取処理とは、別々の機器で行ってもよい。また、上記実施の形態では、携帯端末４０が、タッチパネルからなる入力表示部４２を有する例を示したが、これに限定されない。例えば、携帯端末４０は、複数の物理ボタンを含んで構成され、ユーザによる入力操作を受け付ける入力部４２ａと、液晶ディスプレイ（ＬＣＤ）等からなる表示部４２ｂとを、別構成として有するものであってもよい。
【符号の説明】
【０１０４】
１０  管理装置、１１  管理通信部、１２  管理記憶部、１３  管理制御部、１３ａ  コード生成処理手段、１３ｂ  決済処理手段、１３ｃ  履歴処理手段、１３ｄ  認証処理手段、２０  設定端末、２１  設定通信部、２２  設定入力部、２３  設定表示部、２４  設定記憶部、２５  設定処理部、３０  利用者端末、４０  携帯端末、４１  端末通信部、４２  入力表示部、４２ａ  入力部、４２ｂ  表示部、４３  読取部、４４  端末記憶部、４５  端末制御部、１００  商品管理システム、２００  決済サーバ、Ｂ１  コード生成ボタン、Ｂ２  新規登録ボタン、Ｂ３  削除ボタン、Ｂａ  マイナスボタン、Ｂｃ  了承ボタン、Ｂｂ  プラスボタン、Ｂｄ  期限指定ボタン、Ｂｅ  作成完了ボタン、Ｂｆ  複製ボタン、Ｂｇ  追加ボタン、Ｂｈ  確定ボタン、Ｂｉ  選択ボタン、Ｂｊ  キャンセルボタン、Ｂｍ  無制限選択ボタン、Ｂｎ  設定ボタン、Ｂｓ  表示ボタン、Ｂｔ  送信ボタン、Ｂｘ  購入設定ボタン、Ｂｙ  読み取りボタン、Ｂｚ  履歴ボタン、Ｃ  商品登録欄、Ｃｎ  新規登録欄、Ｃｐ  既存情報欄、Ｃｒ  出力選択欄、Ｄ０  選択欄、Ｄ１  ＩＤ入力欄、Ｄ２  登録日欄、Ｄ３  品名入力欄、Ｄ４  単価入力欄、Ｄ５  在庫数欄、Ｄ６  回数設定欄、Ｄ７  期限入力欄、Ｄ８  表示内容欄、Ｄａ  アドレス入力欄、Ｄｃ  注意喚起欄、Ｄｘ  検索欄、Ｅ  コード表示欄、Ｆ１  数量設定欄、Ｆ２  合計表示欄、Ｆ３  支払い選択欄、Ｇ  表示画面、Ｇａ  精算完了画面、Ｇｂ  未精算画面、Ｇｃ  使用許可画面、Ｇｄ  エラー画面、Ｇｓ  撮像表示画面、Ｇｔ  購入情報画面、Ｈ１  サービス表示部、Ｈ２  処理表示部、Ｊ  購入履歴欄、Ｋ１  選択キー、Ｋｒ  戻るキー、Ｎ  使用回数、Ｗ  ネットワーク、Ｐ  期間指定キー、Ｑ  日付指定キー、Ｒ  無制限キー、Ｓ  販売用コード、Ｔ  認証用コード、Ｕ  中心枠、Ｖ  仮想キーボード。
【図１】
2020166662.tif 000003
【図２】
2020166662.tif 000004
【図３】
2020166662.tif 000005
【図４】
2020166662.tif 000006
【図５】
2020166662.tif 000007
【図６】
2020166662.tif 000008
【図７】
2020166662.tif 000009
【図８】
2020166662.tif 000010
【図９】
2020166662.tif 000011
【図１０】
2020166662.tif 000012
【図１１】
2020166662.tif 000013
【図１２】
2020166662.tif 000014
【図１３】
2020166662.tif 000015
【図１４】
2020166662.tif 000016
【図１５】
2020166662.tif 000017
【図１６】
2020166662.tif 000018
【図１７】
2020166662.tif 000019
【図１８】
2020166662.tif 000020
【図１９】
2020166662.tif 000021
【図２０】
2020166662.tif 000022
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
共通の商品を示す商品情報が各々に関連づけられた販売用コード及び認証用コードを用いて前記商品を管理する管理制御部と、
前記販売用コードを読み取った機器を介して前記商品が購入されたとき、前記販売用コードに関連づけられた商品情報と購入者の情報とを含む購入済データを記憶する管理記憶部と、を有し、
前記管理制御部は、
前記認証用コードを読み取った携帯端末から前記認証用コードに関連づけられた商品情報と前記携帯端末の所有者の情報とを含む認証データが送信されたとき、前記認証データと前記購入済データとを照合して認証処理を行うものである、管理装置。
【請求項２】
前記管理制御部は、前記販売用コードと前記認証用コードとを生成するものである、請求項１に記載の管理装置。
【請求項３】
前記販売用コード及び前記認証用コードは、何れも二次元コードである、請求項１又は２に記載の管理装置。
【請求項４】
前記販売用コードは、前記商品に対応する購入用のＵＲＬ情報を含んでいる、請求項１〜３の何れか一項に記載の管理装置。
【請求項５】
請求項１〜４の何れか一項に記載の管理装置と、
前記管理装置と通信可能な携帯端末と、を有し、
前記管理装置は、
前記認証データと前記購入済データとの照合が成立した場合、前記携帯端末に適正信号を送信するものであり、
前記携帯端末は、
前記管理装置から適正信号が送信された場合に使用許可画面を表示するものである、商品管理システム。
【請求項６】
前記管理装置は、
前記商品に使用の上限回数である使用限度数が設定されている場合、
前記認証データと前記購入済データとの照合が成立し、かつ前記商品の現在の使用回数が使用限度数未満であれば、前記携帯端末に適正信号を送信するものである、請求項５に記載の商品管理システム。
【請求項７】
前記商品に関する情報の設定及び登録、及び、入力及び登録の少なくとも１つを受け付ける設定端末を有し、
前記設定端末は、
受け付けた前記商品に関する情報を前記管理装置へ送信するものであり、
前記管理制御部は、
送信された前記商品に関する情報に基づいて前記販売用コードと前記認証用コードとを生成するものである、請求項５又は６に記載の商品管理システム。
【請求項８】
共通の商品を示す商品情報が各々に関連づけられた販売用コード及び認証用コードを用いて前記商品を管理する管理装置が実行する商品管理方法であって、
前記管理装置が有する管理制御部によって、共通の商品を示す商品情報が各々に関連づけられた販売用コード及び認証用コードを生成し、
前記管理装置が有する管理記憶部によって、前記販売用コードを読み取った機器を介して前記商品が購入されたとき、前記販売用コードに関連づけられた商品情報と購入者の情報とを含む購入済データを記憶し、
前記管理制御部は、前記認証用コードを読み取った携帯端末から前記認証用コードに関連づけられた商品情報と前記携帯端末の所有者の情報とを含む認証データが送信されたとき、前記認証データと前記購入済データとを照合して認証処理を行うものである、商品管理方法。
【請求項９】
共通の商品を示す商品情報が各々に関連づけられた販売用コード及び認証用コードを用いて前記商品を管理する管理装置に設けられたコンピュータを、
前記販売用コード及び前記認証用コードを生成するコード生成処理手段、
前記販売用コードを読み取った機器を介して前記商品が購入されたとき、前記販売用コードに関連づけられた商品情報と購入者の情報とを含む購入済データを記憶部に記憶させる記憶処理手段、
及び前記認証用コードを読み取った携帯端末から前記認証用コードに関連づけられた商品情報と前記携帯端末の所有者の情報とを含む認証データが送信されたとき、前記認証データと前記購入済データとを照合して認証処理を行う認証処理手段、として機能させるための、商品管理プログラム。